(57)【要約】【課題】  解土物の高品質性・高い生産能力・作業性・経済性・汎用性などを満足させることのできる解土処理方法と解土処理装置を提供する。【解決手段】  処理容器２１内で上下複数段の放射状に配列されて垂直な回転軸３５に取り付けられている各カッティングブレード４１を高速水平回転させて水平切断エネルギを発生させる。その後、入口２２から処理容器２１内に投入されて重力落下する塊状の改良土が出口２３に至るまでの間、高速水平回転で水平切断エネルギを発生しているカッティングブレード４１で改良土７１を水平切断して土粒子相互の空隙内に水分を保持した状態の解土物をつくる。【選択図】図１
2005296903.tif 000002
【特許請求の範囲】
【請求項１】
固化材を添加されて初期の泥土状態よりも硬くなった状態にある塊状の改良土をほぐすための方法において、上部の入口と下部の出口とを有する縦型円筒状の処理容器内で上下複数段の放射状に配列されて垂直な回転軸に取り付けられた複数のカッティングブレードを高速水平回転させて水平切断エネルギを発生させること、その後、容器入口から処理容器内に投入されて重力落下する塊状の改良土が容器出口に至るまでの間、高速水平回転で水平切断エネルギを発生しているカッティングブレードで改良土を捏ね返すことなく水平切断して土粒子相互の空隙内に水分を保持した状態の解土物をつくることを特徴とする解土処理方法。
【請求項２】
処理容器内の雰囲気温度を高めて少なくとも解土物表面の水分を蒸発させる請求項１記載の解土処理方法。
【請求項３】
両刃のカッティングブレードを４０〜１０００ｋｍ／時の周速で高速水平回転させる請求項１〜３いずれかに記載の解土処理方法。
【請求項４】
上部の入口と下部の出口とを有する縦型円筒形の処理容器と、処理容器内の中心領域に配置されて上下方向に沿う回転軸と、回転軸の周囲に上下複数段で取り付けられて放射状に分布する複数本の長い両刃のカッティングブレードと、回転軸に連結された回転駆動系の機械とを備えていることを特徴とする解土処理装置。
【請求項５】
処理容器内の雰囲気を高温に保持するための熱供給系が装備されている請求項４記載の解土処理装置。
【発明の詳細な説明】
【技術分野】
【０００１】
本発明は不良土を良土化処理するための技術分野に属するもので、より詳しくは含水比の高い塊状の改良土を適切にほぐすための解土処理方法と解土処理装置に関する。
【背景技術】
【０００２】
建設工事にともなって発生する泥土については、有効利用をはかるために固化処理することがすでに行われている。これに関する一般的な方法では、泥土中の粗大分を分級し、ある程度凝集させるなど前処理をしてから、セメント・水砕スラグ・石膏・生石灰などを混合して泥土を固化する。廃泥水以外の汚泥や掘削残土も、脱水なしで合わせて固化処理すれば、路床材・路盤材・埋め戻し材などとして再利用できるものに仕上がる。
【０００３】
上記のような着想に基づく土資源の再利用は池・沼・湖・川・河などの水域にみられる堆積泥土にも適用されてきている。その一例が溜池である。かつて溜池の堆積泥土は、落水状態において浚渫したり掘削したりした後、捨土として処分していた。このような措置を講じる理由は、堆積泥土が溜池の機能（有効貯水量・水質）を損なうからである。しかし最近は、捨土処分場所の確保が困難になりつつあること、捨土運搬時の環境負荷が大きいこと、捨土処分時の処理コストが高いことなどマイナス要因が増大しているため、発生箇所で有効利用することが求められている。
【０００４】
下記の特許文献１に開示された技術は溜池に堆積する泥土を有効利用するため開発されたものであり、その要点はつぎのようなものである。はじめは溜池の堆積泥土に固化材を添加・攪拌・混合して混合物をつくる。つぎは混合物を放置養生させて固化混合物をつくる。そのあとは固化混合物を掘削し、その固化混合物の塊を破砕機に掛けて砕き、適当な大きさの破砕片をつくる。こうして得た破砕を堤体の盛土造成部まで運搬し、盛土材として用いる。
【特許文献１】特開２０００−２４８５３８号公報
【発明の開示】
【発明が解決しようとする課題】
【０００５】
溜池の堆積泥土を改質して盛土材に利用するという特許文献１の技術は、その盛土材で溜池堤体の補修や補強を行うのであるから有用性が高いかのごとくである。とはいえ堆積泥土と固化材との固化混合物は、堆積泥土の段階よりも含水比が低いものの見掛け上の固結状態を呈しているにすぎないから、当該固化混合物の塊を破砕機に掛けて適当な大きさの破砕片をつくるというときに捏ね返しが原因で軟泥化しやすい。軟泥化材料は施工機械のトラフカビリティーを低下させるので、たとえばこれを盛土材として使用する場合にさらなる改善が要求される。軟泥化の生じる理由としては、土粒子間の構造や土粒子を結合しているセメンテーション効果が破砕のような物理的攪乱破壊によって失われること、また、土粒子間に保持されていた間隙水がその破壊にともなって流出することなどが考えられる。
【０００６】
上述した破砕時の軟泥化現象は、固化混合物の養生期間をたとえば１年のように長期化して含水比を低下させたり、固化材の添加量を倍増して土粒子相互のセメンテーション効果を高めたりすることで回避可能である。しかし前者の場合はそれがそのまま工事期間の長期化につながり、後者の場合は土質改良の際の費用が高くなる。
【０００７】
本発明はかかる技術上の課題に鑑み、改良土をほぐす際の固形化保持（軟泥化防止）・高品質の維持・安定処理・高能率処理・処理経済性などを実現することのできる解土処理方法と解土処理装置を提供しようとするものである。
【課題を解決するための手段】
【０００８】
本発明の請求項１に係る解土処理方法は所期の目的を達成するために下記の課題解決手段を特徴とする。すなわちこれは、固化材を添加されて初期の泥土状態よりも硬くなった状態にある塊状の改良土をほぐすための方法において、上部の入口と下部の出口とを有する縦型円筒状の処理容器内で上下複数段の放射状に配列されて垂直な回転軸に取り付けられた複数のカッティングブレードを高速水平回転させて水平切断エネルギを発生させること、その後、容器入口から処理容器内に投入されて重力落下する塊状の改良土が容器出口に至るまでの間、高速水平回転で水平切断エネルギを発生しているカッティングブレードで改良土を捏ね返すことなく水平切断して土粒子相互の空隙内に水分を保持した状態の解土物をつくることを特徴とする。
【０００９】
本発明の請求項２に係る解土処理方法は、請求項１記載の方法において処理容器内の雰囲気温度を高めて少なくとも解土物表面の水分を蒸発させることを特徴とする。
【００１０】
本発明の請求項３に係る解土処理方法は、請求項１〜２いずれかに記載の方法において両刃のカッティングブレードを４０〜１０００ｋｍ／時の周速で高速水平回転させることを特徴とする。
【００１１】
本発明の請求項４に係る解土処理装置は所期の目的を達成するために下記の課題解決手段を特徴とする。すなわち請求項４記載の解土処理装置は、上部の入口と下部の出口とを有する縦型円筒形の処理容器と、処理容器内の中心領域に配置されて上下方向に沿う回転軸と、回転軸の周囲に上下複数段で取り付けられて放射状に分布する複数本の長い両刃のカッティングブレードと、回転軸に連結された回転駆動系の機械とを備えていることを特徴とする。
【００１２】
本発明の請求項５に係る解土処理装置は、請求項６記載の装置において処理容器内の雰囲気を高温に保持するための熱供給系が装備されていることを特徴とする。
【００１３】
〈用語説明〉
本発明で「解土（かいど）」の語は土塊を細かくほぐすという意味合いで用いられる。「解土」について別の表現をすれば、ある大きさの土塊をそれ以下の大きさのもの（直径１５０ｍｍ以下）に切り分けるという意味合いの語になる。この二つの意味合いに実質的な差はない。さらに「解土物（かいどぶつ）」は解土されたものを指す語である。このほか「捏ね返し」という語は、土粒子と間隙水とが練り混ぜられるという意味合いで用いられる。通常、含水率のある土などが捏ね返しを受けたりすると泥状化する。
【発明の効果】
【００１４】
大きな土塊を小さな解土物にほぐすときは物理的な破砕手段を用いるのが一般である。物理的破砕手段の多くは強大な力で土塊を打ち崩すとか圧し潰すとかいうものである。その本質は単に破壊力を加えるだけで、あとは「壊れるままにまかせる」という破壊現象に依存しているにほかならない。含水比の比較的少ない土塊であれば、このような破砕手段でも問題なく砕けたりする。しかし高含水比の土塊などは、打撃破壊したり加圧破壊したりしたときに解土物が軟泥化してしまう。原因のほとんどは既述の捏ね返しである。捏ね返しが起きると、土粒子間の構造や土粒子を結合していたセメンテーション効果が失われたり、土粒子間に保持されていた間隙水が流出したりして軟泥化する。
【００１５】
本発明に係る解土処理方法と解土処理装置は、重力落下する塊状の改良土を高速水平回転中のカッティングブレードで瞬間切断する。改良土はこの切断後も重力落下する。そのときの改良土も高速水平回転中のカッティングブレードで瞬間切断する。この度重なる切断で塊状改良土は切りほぐされて直径１０〜１５０ｍｍ程度の解土物になる。こうしてつくられる解土物には軟泥化がみられない。軟泥化が生じない理由の一つはほぐしのための道具が切れ味鋭い刃物（カッティングブレード）ということ、他の一つはカッティングブレードによる塊状改良土の切断が瞬間切断ということである。切れ味の鋭いカッティングブレードで瞬間切断するときの塊状改良土は、ブレードの通過部分のみが切り裂かれるだけで、他の箇所にまで破壊の波及することがほとんどない。これはすなわち、解土物が土粒子間の構造をそのまま保持し、土粒子を結合しているセメンテーション効果も失わず、土粒子間に保持されていた間隙水も流出させないということである。換言すれば、塊状の改良土をほぐすときに捏ね返しが起こらないということである。ゆえに本発明方法や本発明装置によるときは解土物の軟泥化が起こりがたい。この際、処理容器内の雰囲気温土を高めて解土物の水分蒸発を促進させると、解土物の軟泥化がさらに起こりがたいものになる。
【００１６】
本発明方法と本発明装置は上記のとおりであるからつぎのような効果が得られる。
(1) 改良土をほぐす際にこれの固形化を保持することができるから解土物に軟泥化がみられない。
(2) 軟泥化していない解土物は土資源の再利用品として高品質であり、そのまま有効利用することができる。
(3) 処理容器内でカッティングブレードを高速水平回転させておけばよく、あとは塊状改良土を処理容器内へ投入するだけで安定した解土処理が行える。
(4) カッティングブレードが稼働状態にある処理容器内へ塊状改良土を連続投入するだけで高能率の解土処理が行える。
(5) 解土時の軟泥化を回避するため固化材を改良土に多量添加しておく必要がない。したがって解土処理するときの経済性がはかれる。
(6) 解土時の軟泥化を回避するため改良土を長期間にわたって養生する必要がない。したがって工期短縮上、解土物を早期に作製しなければならないという要請にも適合する。
【発明を実施するための最良の形態】
【００１７】
本発明に係る解土処理方法と解土処理装置の実施形態を添付図面に基づき説明する。
【００１８】
図１〜図４の実施形態において、ここに例示された解土処理装置は支持台１１・電動機１５・伝動系１６・処理容器２１・回転軸３５・カッティングブレード４１その他を主体にして構成されており、これに処理対象物（改良土）の搬入系６１や解土物の搬出系６２が付帯している。解土処理装置を構成するための部品や部材の材質はとくに説明しないかぎり金属製である。また、材質が明らかな周知部品を除いて金属製である。しかもその場合の金属としては、耐衝撃性など機械的特性の優れた鋼などがよく採用される。
【００１９】
図１に示された支持台１１は台座１２とその上の架構物１３とからなる。この場合の架構物１３は、支柱・梁・桁・筋交いなどを建て込んだり組み付けたり組み立てたりすることで台座１２の上に構築されて、立方体形または直方体形の骨格構造をしている。このような構造の架構物１３は後述の処理容器を組み付けて支持するのに適している。台座１２や架構物１３は主に金属からなるが、木材・合成樹脂・複合材などの周知材料が併用されることもある。
【００２０】
図１〜図２に示された処理容器２１は上下両面が開放された縦型円筒状のものである。かかる処理容器２１の上部には落下案内用のシュート（周知）が取り付けられ、そこが処理容器２１の入口２２となっている。処理容器２１の出口２３は、開放された容器下面がこれに該当する。処理容器２１は図１のように架構物１３の上部側に組み付けられる。この処理容器２１と台座１２との間には空間が介在している。こうした処理容器２１には、これの内面に付着した土を掻き落とすための掻き取り手段（図示せず）が装備されることもある。
【００２１】
図１において、回転軸を支持するため処理容器２１に設けられる上下一対の軸受３１・３２は周知のものである。一方の軸受３１は処理容器２１内の軸心部上方に配置されているとともに、当該軸受３１と処理容器２１の胴壁内面とにわたる放射状（例：三放射状）のステー３３を介して支持されている。他方の軸受３２は処理容器２１内の軸心部下方に配置されているとともに、処理容器２１の胴壁貫通して当該軸受３２と架構物１３とにわたる放射状のステー３３を介して支持されている。回転軸３５は少なくとも一部が中空のものである。図示例での回転軸３５は下端部を除く部分が中空になっており、その中空部壁面には、上下方向と周方向とにわたって分布する多数の吹出口３６が複数段設けられている。回転軸３５の外周面には、差し込みスペースを有する取付部３７が複数の段をなして設けられている。回転軸３５は図１のように処理容器２１内の軸心部に配置されて両軸受３１・３２により回転自在に両端支持される。この回転軸３５には、温風ないし熱風を供給するための気体供給系の配管３８がスイベルジョイントなどの接続具を介して接続されている。配管３８に基端部にある気体供給系（図示せず）は、一例として温度調整手段を備えたブロワーからなる。
【００２２】
カッティングブレード４１は図１〜図２の例示において刀剣のような長い刃物形状をしている。この図示例のカッティングブレード４１は前縁部と後縁部にナイフエッジ４２を備えた両刃型である。カッティングブレード４１の基端部にはこれを回転軸３５に取り付けるための貫通した取付孔４３が形成されている（とくに図３を参照）。カッティングブレード４１としては図３に例示するような種々のタイプがある。そのうちで図３（Ａ）のカッティングブレード４１は長手方向に沿う中心線を対称軸とする線対称の両刃型からなり、ナイフエッジ４２がゆるやかな凸状（放物線状）の曲線形をなしている。図３（Ｂ）のカッティングブレード４１も線対称の両刃型であるが、ナイフエッジ４２が直線形をなしている。図３（Ｂ）のようなカッティングブレード４１は、長さ方向の一端部と他端部とのうち、いずれを先端部にしてもよいものである。さらに図３（Ｃ）のカッティングブレード４１は円盤形のものでナイフエッジ４２がエンドレス形状をしている。図３（Ｃ）のようなカッティングブレード４１は、ナイフエッジ４２のどの箇所でも先端部になり得るから、多数ある取付孔４３のうちから任意の一つを選択して先端部を自由に変更することができる。カッティングブレード４１については、線対称の両刃型で二等辺三角形のものや片刃型で二等辺三角形のものがある。これ以外に、図３（Ａ）（Ｂ）のようなタイプで片刃型のカッティングブレード４１や、図３（Ｃ）のようなタイプで後半部のみナイフエッジ４２のないカッティングブレード４１もある。
【００２３】
図５（Ａ）（Ｂ）に例示された連結具５１はカッティングブレード４１を回転軸３５に取り付けるためのものである。図５（Ａ）の連結具５１は差込部材５２と保持部材５３とがピン５４で枢着されたもので、差込部材５２や保持部材５３には連結ピンを差し込むための貫通孔５５・５６が形成されている。図５（Ａ）の連結具５１では、差込部材５２が回転軸３５の取付部３７とピン連結可能に対応し、二枚の保持部材５３はカッティングブレード４１の基端部とピン連結可能に対応するものである。一方で、図５（Ｂ）の連結具５１はチェーンからなる。図５（Ｂ）の連結具５１では、その両端部が回転軸３５の取付部３７やカッティングブレード４１の基端部とピン連結可能に対応するものである。これらの連結具５１は例示にすぎないから、カッティングブレード４１を回転軸３５に取り付けるときに他の連結具が用いられることもある。
【００２４】
図１〜図２を参照して明らかなように、回転軸３５にある上下複数段（上下三段）の取付部３７にはそれぞれ複数本（八本）のカッティングブレード４１が放射状に取り付けられる。すなわち連結具５１の一端部とカッティングブレード４１の基端部とがピン連結されたり、連結具５１の他端部と回転軸３５の取付部３７とがピン連結されたりしてそれぞれ複数本のカッティングブレード４１が各段の取付部３７に放射状に取り付けられる。この場合の連結具５１が図５（Ａ）のものであるとき、各カッティングブレード４１は高速回転しているか否かにかかわらず図２のような水平状態を保つ。ただし各ピン止め箇所においては、ピンを支点にして各部が回転自在であるから、各カッティングブレード４１は水平方向に揺動することができる。これに対し連結具５１が図５（Ｂ）のものであると、回転していないときの各カッティングブレード４１は自重で垂れ下がる。この場合のカッティングブレード４１で図示のような両刃型や円盤型は、一方のナイフエッジ４２が摩耗したときに反転させて他方のナイフエッジ４２が使用できるなど有効使用期間の長いものであるが、それよりも望ましいことは、高速水平回転時の空気抵抗がきわめて小さため安定回転することや、処理容器２１内の雰囲気をほとんど攪乱しないことである。
【００２５】
図１を参照して、処理容器２１の胴部外面には受台１４が組み付けられて装備されている。この受台１４には周知の電動機（モータ）１５が搭載されている。電動機１５と回転軸３５とにわたる伝動系１６は、周知の原動プーリ１７・周知の従動プーリ１８・周知のエンドレスのベルト１９などである。したがって伝動系１６については、原動プーリ１７が電動機１５の出力軸に取り付けられたり従動プーリ１８が回転軸３５の上端部外周に取り付けられたりするとともにベルト１９が両プーリ１７・１８にわたって掛け回されたりする。この場合、電動機１５や伝動系１６は回転軸３５に対する回転駆動系の機械に該当する。
【００２６】
図１の実施形態においては、また、処理容器２１の入口２２に対応して処理対象物（改良土）の搬入系６１が配置されているとともに、処理容器２１の出口２３に対応して解土物の搬出系６２が配置されている。これらの搬入系６１や搬出系６２は一例として周知のベルトコンベアからなるものである。
【００２７】
本発明の実施形態で図１〜図４に例示されたものは以下に述べる改良土を以下のようにして解土処理する。
【００２８】
はじめに処理対象物の改良土についていうと、これは泥土と固化材との固化混合物で、３日〜数ヶ月など適当な養生期間を経たものが多い。このような改良土は初期の泥土状態よりも硬くなった状態にあるが、その場合の「硬い」は初期の泥土状態よりも密度が大きくて強度が大きいという意味である。泥土の主成分は砂・シルト・粘土・礫のうちの一つ以上である。泥土中に主成分以外のものが含まれていたりする。その非主成分は小石・木片・プラスチック片・投棄された雑芥・各種有機物などである。泥土については、また、非主成分の一部または全部が分級により取り除かれて使用されることもある。固化材はセメント系のもの・石膏系のもの・石灰系のものなどである。その具体的なものとしてセメント・水砕スラグ・石膏・生石灰をあげることができる。固化材の代表的一例はセメント系のものであるが、その他のものでも構わなし、二種以上の固化材が用いられても構わない。泥土と固化材との固化混合物（改良土）には固化材以外の成分が添加されることもある。建設分野の関連でいうと、泥土の具体的なものは各種の工事にともなって発生する建設泥土や、池・沼・湖・川・河などの水底に堆積する堆積泥土である。堆積泥土は雑多な成分を含むが、主成分が粘土とシルトで含水比が大きいために超軟弱である。堆積泥土は浚渫されたときに浚渫泥土といわれることがある。改良土（固化混合物）についてさらにいうと、これの含水比は通常１５０〜３５０％の範囲内にあるものが多いが、種類いかんでは１０〜１０００％と広範囲にわたる。改良土の強度についても通常は１５０〜３５０ｋＮ／ｍ２の範囲内であるが、その他の場合は５〜５００ｋＮ／ｍ２と広範囲である。
【００２９】
図１の搬入系６１・電動機１５・搬出系６２ならびに気体供給系を運転状態にして上記改良土を解土処理するときは、一例として以下のようになる。
【００３０】
搬入系６１は処理対象の塊状改良土を搬送しながらこれを処理容器２１の入口２２から処理容器２１内に投入する。処理容器２１内では電動機１５からの動力伝達を受けて回転軸３５とこれに装備された複数段かつ放射状の各カッティングブレード４１が高速回転している。具体的な回転速度についていうと、各カッティングブレード４１はそれぞれの先端部の周速が４０〜１０００ｋｍ／時となるように高速性を保持して回転している。より具体的な一例でカッティングブレード直径（図２左側のカッティングブレード４１先端から図２右側のカッティングブレード４１先端までの距離）が１ｍφのときは、各カッティングブレード４１の回転数が４０〜４００ｒｐｍ程度に設定される。処理容器２１内に投入された塊状の改良土は、入口２２から出口２３に至るまでの間、複数段かつ放射状の各カッティングブレード４１すなわちで高速水平回転中の各カッティングブレード４１で数次にわたる切断を受け、全体の７０〜９０％が直径５〜１５０ｃｍぐらいの解土物になるとともに残部が直径５ｃｍ以下の解土物になる。解土物については一段あたりカッティングブレード数が多くなったり、カッティングブレードの段数が多くなったりするにしたがい直径が小さくなる傾向を示し、また、各カッティングブレード４１の周速が速くなるにしたがい直径が小さくなる傾向を示す。この場合の切断状況を模式的に示したのが図６である。図６を参照して改良土７１は、多数の土粒子７２が固化材粒子７３を介して弱い力で接着しており、各土粒子７２の間隙内に水分７４を保持しているものである。かかる改良土７１に対して水平高速回転中のカッティングブレード４１は鋭い切れ味を発揮し、そのブレード通過部分のみを切り裂いてこれを切断する。したがって各土粒子７２がバラバラに分散して間隙水が多量に流出するとか、その流出間隙水と分散土粒子とが再攪乱されて軟泥化するとかいう事態は発生しない。しかも当該切断と同期して、気体供給系は、配管３８→回転軸３５の中空部内→吹出口３６という経路で処理容器２１内に５０〜１５０℃程度の温風ないし熱風を供給する。具体的には８０℃前後の熱風を処理容器２１内に吹き込む。ここで熱風等に曝される解土物は少なくとも表面の水分を蒸発させて土粒子相互の接着性を高める。これはすなわち、解土物を温風ないし熱風に曝した場合に軟泥化がより起こりがたくなるということである。塊状改良土の処理物である解土物が処理容器２１の出口２３に至ったときは搬出系６２の上に落下し、その搬出系６２で所定の場所まで運ばれる。
【００３１】
上記のようにして得られる解土物は、これ単独で、または他の材と混合することで種々の分野で用いられる。その典型的例は土木建築分野（建設分野）における盛土材・埋め戻し材・路床材・路盤材などであるが、農業その他の分野でも用いることができる。
【産業上の利用可能性】
【００３２】
本発明に係る解土処理方法ならびに解土処理装置は、重力落下中の改良土を高速水平回転中のカッティングブレードで水平切断して土粒子相互の空隙内に水分を保持した状態の解土物をつくる。こうして得られる解土物は軟泥化のない高品質のものであるから利用度が高い。したがって含水比の大きい土のリサイクルやリユースに適用するとき大いに貢献できる。
【図面の簡単な説明】
【００３３】
【図１】本発明に係る解土処理手段の一実施形態を略示した縦断面図である。
【図２】図１の解土処理手段の略示横断面図である。
【図３】図１の解土処理手段で用いられる回転軸の要部縦断面図である。
【図４】図１の解土処理手段で用いられる各種カッティングブレードの一部省略斜視図である。
【図５】図１の解土処理手段で用いられる各種連結具の斜視図である。
【図６】本発明における改良土の切断状況を模式的に示した断面図である。平面図である。
【符号の説明】
【００３４】
１５    電動機
１６    伝動系
２１    処理容器
２２    入口
２３    出口
３５    回転軸
３６    吹出口
３７    取付部
３８    配管
４１    カッティングブレード
４２    中割り用の水平回転破砕具
４３    小割り用の水平回転破砕具
５１    連結具
７１    改良土
【図１】
2005296903.tif 000003
【図２】
2005296903.tif 000004
【図３】
2005296903.tif 000005
【図４】
2005296903.tif 000006
【図５】
2005296903.tif 000007
【図６】
2005296903.tif 000008